(57)【特許請求の範囲】
【請求項１】
筒状部材と、前記筒状部材の開口部の一方を塞ぐ面を有する蓋部材と、前記筒状部材の他方の開口部から外周側へ延在するように設けたドア取付部材からなり、前記筒状部材の内周面と前記蓋部材が成す空間にサムターンを収納し、前記ドア取付部材を介してドアに固定して用いるドアロック用カバーであって、少なくとも個体識別が可能な固有情報を持つＩＣチップ部と前記ＩＣチップに接合したアンテナ部を有するＩＣタグを備え、前記筒状部材に前記ＩＣチップ部を設けるとともに、前記蓋部材に前記アンテナ部を設けてなることを特徴とするドアロック用カバー。
【請求項２】
前記筒状部材の一部に肉薄部からなる切り込み部を有し、前記肉薄部に埋設または接するように前記ＩＣチップ部を配したことを特徴とする請求項１に記載のドアロック用カバー。
【請求項３】
前記サムターンまたは前記ＩＣタグが視認可能な透明性を有する材料を用いてなることを特徴とする請求項１乃至２のいずれかに記載のドアロック用カバー。
【請求項４】
前記サムターンは、ドアノブと一体に設けられてなることを特徴とする請求項１乃至３のいずれかに記載のドアロック用カバー。
【発明の詳細な説明】
【技術分野】
【０００１】
本発明は、ドアの施錠操作及び開錠操作に用いられるサムターンを覆うドアロック用カバーに関するものである。
【背景技術】
【０００２】
近年、個人情報保護法の施行により、官公庁、学校、企業等の団体では、情報管理、漏洩防止が厳しく問われ、個人情報の保管エリア及び取扱エリアにおける人の入退室及び物品の搬入搬出を制限し、監視カメラ、ＩＤカード認証、バイオメトリクス認証等、様々なセキュリティ対策を講じてきている。
【０００３】
官公庁、学校、企業等の団体は、保管及び取扱う個人情報の内容や重要度を考慮して個人情報の保管エリア及び取扱エリア内のセキュリティレベルを設定し、設定したセキュリティレベルが確保できるセキュリティ対策を導入しているが、一般的に、導入されるセキュリティ対策は、必要とするセキュリティレベルより高いセキュリティレベルが得られるセキュリティ対策が選定される傾向があり、費用が高額になってしまう場合がある。
【０００４】
しかしながら、個人情報を扱う団体の規模は様々であり、全ての団体が、個人情報の保管エリア及び取扱エリア全てに、高いセキュリティレベルが得られるセキュリティ対策の高額なシステムを導入できるわけではなく、多くの団体では、個人情報の保管エリア及び取扱エリアに必要とされるセキュリティレベルにみあったセキュリティ対策を安価に実施できることを望んでいるが、実現されていない。
【０００５】
ここで、安価に実施可能なセキュリティ対策の一例として従来問題になっている、ドアの隙間から針金を使用してドアに設置してあるサムターンを回し、不正に開錠操作をするピッキング犯罪に対し、サムターンに回転防止用のカバーを設置するセキュリティ対策が提案されており、このような技術は例えば特許文献１に開示されている。
【０００６】
ところで、近年問題となっている個人情報漏洩等の犯罪は、個人情報を管理する内部の人間が引き起こす場合があり、外部からの不正侵入だけでなく内部から外部への不正退出にもセキュリティ対策を講じなければならないが、従来技術では、不正に内部の者がサムターンを操作し内部から外部へ退出することを想定していない為、内部から外部への不正退出に対して何ら効果がなく、監視カメラ、ＩＤカード認証、バイオメトリクス認証等の高いセキュリティレベルが得られるセキュリティ対策に依存するしかなく、高額な費用を要するという問題があった。
【０００７】
【特許文献１】特開２００５−０８３０１２号公報
【発明の開示】
【発明が解決しようとする課題】
【０００８】
本発明の課題は、上記問題に鑑み、外部からの不正侵入及び内部から外部への不正退出を防止する、安価に実施可能なドアロック用カバーを提供することである。
【課題を解決するための手段】
【０００９】
本発明は、上記個人情報の保管エリア及び取扱エリアを、監視カメラ、ＩＤカード認証、バイオメトリクス認証等の高いセキュリティ対策が必要なエリアと高いセキュリティ対策を必要としないエリアに分けて運用し、高いセキュリティ対策を必要としないエリアに適正で安価なセキュリティ対策を導入することで、個人情報を扱う団体の初期投資負担を軽減しようとするものであり、高いセキュリティ対策を必要としないエリアで使用するセキュリティ対策に関するものである。
【００１０】
高いセキュリティ対策を必要としないセキュリティ対象としては、例えば、通路の非常口のドア等がある。
【００１１】
非常口のドアは、常に施錠され、災害発生等の緊急時にドア面に設けられたサムターンあるいはドアノブ上に設けられたサムターンを操作して開錠するもので、使用頻度が少なく、前記非常口のドアのセキュリティレベルは、通常時に前記サムターンの操作を阻止する手段を有し、非常時に前記サムターンの操作を阻止する手段を容易に排除し前記サムターンの操作ができ、且つ前記サムターンの操作を阻止する手段を故意に破壊しようとする不正行為に対し抑制効果があるセキュリティ対策で確保できるセキュリティレベルである。
【００１２】
本発明は、上述の知見に基づき発明したものであり、ドア面に設けられたサムターンを囲む筒状部材と、前記筒状部材の開口部の一方を塞ぐ面を有する蓋部材が成す、本発明のドアロック用カバー内部の空間に前記サムターンを収納し、前記蓋部材と対抗する前記筒状部材のもう一方の開口部に設けたドア取付部材を介してドアロック用カバーを前記ドア面に固定し、通常時における前記サムターンの操作を不能にする。
【００１３】
更に、前記ドアロック用カバーは、前記筒状部材の一部に肉薄部からなる切り込み部を設け、前記切り込み部に力を加えて割り、前記ドアロック用カバーを前記ドアから取り外し、前記サムターンの操作を可能にする。すなわち、通常時に操作不能であった前記サムターンを、非常時に容易に操作可能にする。
【００１４】
更に、前記ドアロック用カバーは、前記空間もしくは、前記筒状部材または前記蓋部材の内部に、少なくとも個体識別が可能な固有情報を持つＩＣチップ部とアンテナ部からなるＩＣタグを有し、前記切り込み部上に前記ＩＣチップ部を設置し、前記切り込み部を割ると同時に前記ＩＣチップ部も破壊する。すなわち、前記切り込み部を割って一度外した前記ドアロック用カバーは元に戻すことができず、また、前記ＩＣチップ部は個々に個体識別が可能な固有情報を有しており、偽造複製ができない。
【００１５】
更に、前記ドアロック用カバーは、透明性を有する材料からなり、前記ドアロック用カバーの外側から前記ＩＣタグ、及び前記切り込み部上に設置した前記ＩＣチップ部を視認可能にし、不正侵入を図ろうとする犯罪者に対し、前記ドアロック用カバーを安易に破壊できないという精神的な負荷を与え、不正行為に対する抑制効果を得る。
【００１６】
本発明によれば、筒状部材と、前記筒状部材の開口部の一方を塞ぐ面を有する蓋部材と、前記筒状部材の他方の開口部から外周側へ延在するように設けたドア取付部材からなり、前記筒状部材の内周面と前記蓋部材が成す空間にサムターンを収納し、前記ドア取付部材を介してドアに固定して用いるドアロック用カバーであって、少なくとも個体識別が可能な固有情報を持つＩＣチップ部と前記ＩＣチップに接合したアンテナ部を有するＩＣタグを備え、前記筒状部材に前記ＩＣチップ部を設けるとともに、前記蓋部材に前記アンテナ部を設けてなることを特徴とするドアロック用カバーが得られる。
【００１７】
本発明によれば、前記筒状部材の一部に肉薄部からなる切り込み部を有し、前記肉薄部に埋設または接するように前記ＩＣチップ部を配したことを特徴とするドアロック用カバーが得られる。
【００１８】
本発明によれば、前記サムターンまたは前記ＩＣタグが視認可能な透明性を有する材料を用いてなることを特徴とするドアロック用カバーが得られる。
【００１９】
本発明によれば、前記サムターンは、ドアノブと一体に設けられてなることを特徴とするドアロック用カバーが得られる。
【発明の効果】
【００２０】
本発明によれば、固有情報を有するＩＣタグをドアロック用カバー内に設け、前記ドアロック用カバーを成す筒状部材の一部に肉薄部からなる切り込み部を設け、前記切り込み部上に前記ＩＣタグを構成するＩＣチップ部を設置し、ドアロック用カバーは視認可能な透明性を有する材料からなり、前記ＩＣタグ及び前記切り込み部上に設置した前記ＩＣチップ部が前記ドアロック用カバーの外側から視認でき、不正侵入を図ろうとする犯罪者に対し、前記ドアロック用カバーを安易に破壊できないという精神的な負荷を与え、不正行為に対する抑制効果があるドアロック用カバーが得られる。
【００２１】
一般的に、監視カメラ、ＩＤカード認証、バイオメトリクス認証等のセキュリティ対策の導入にかかる費用は、監視カメラやＩＤカード認証装置、バイオメトリクス認証装置自体が安くなく、また家屋の付帯工事を伴う為に高額になってしまう。
【００２２】
本発明によれば、本発明のドアロック用カバーは、ドアロック用カバー内に設置するＩＣタグに例えば一般に市販されているＩＣタグが使用可能であり、ドアロック用カバーに例えば一般に市販されている射出成型品が使用可能である。更に、一般に市販されているＩＣタグ専用リーダライタを前記ＩＣタグの状態確認用として使用可能であり、本発明のドアロック用カバーを用いたセキュリティ対策は、家屋の付帯工事を必要とせず、例えば上述の高額なセキュリティ対策と比較し、約１０分の１から２０分の１程度の費用で実現可能である。
【００２３】
すなわち、本発明によるドアロック用カバーは、個人情報の保管エリア及び取扱エリアで使用可能な安価なセキュリティ対策を供給できる。
【発明を実施するための最良の形態】
【００２４】
本発明によるドアロック用カバーは、ドア面に設けられたサムターンを囲む筒状部材と、前記筒状部材の開口部の一方を塞ぐ面を有する蓋部材と、前記蓋部材と対抗する前記筒状部材のもう一方の開口部に設けたドア取付部材と、前記筒状部材と前記蓋部材が成す空間、もしくは前記筒状部材または前記蓋部材の内部に、少なくとも個体識別が可能な固有情報を持つＩＣチップ部とアンテナ部を有するＩＣタグからなる。
【００２５】
前記筒状部材は、前記サムターンを覆える内寸法の面を有した部材であれば、筒状、複数面を有する箱状、いずれの形状でも良く、適宜選択するのが良い。使用環境、利便性を考慮すれば筒状部材が好ましい。
【００２６】
前記蓋部材は、前記筒状部材の開口部を塞ぎ、前記筒状部材の外形寸法に一致した形状及び面積を有するのが好ましい。
【００２７】
前記ドア取付部材は、前記蓋部材と対抗する前記筒状部材のもう一方の開口部の外周側に、前記筒状部材と直角を成す様に、例えば厚みが１ｍｍであり、幅が２０ｍｍである鍔からなるのが好ましい。
【００２８】
前記ドアロック用カバーは、前記筒状部材と、前記蓋部材及び前記ドア取付部材を接着剤、超音波溶着等により接合してなる。もしくは前記接合して得られるカバー部の設計寸法から射出成型金型を作製し、前記金型に加熱した樹脂を射出し、冷却固化させた後、金型から取り外してなるのが好ましい。
【００２９】
前記ドアロック用カバーは、前記ドアロック用カバーの外側から視認可能な透明性を有する材料であれば良く、例えばＰＥＴ（ポリエチレンテレフタレート）樹脂、ＡＢＳ（アクリロニトリル・ブタジエンスチレン）樹脂、ＰＶＣ（ポリ塩化ビニル）樹脂が用いられるが、加工性及び環境問題を考慮すれば、ＡＢＳ樹脂が好ましい。
【００３０】
前記ドアロック用カバーは、例えば前記筒状部材及び前記蓋部材の厚みが１ｍｍであり、前記筒状部材の外周上に、例えば幅０.３ｍｍ、且つ厚み０.５ｍｍである連続した肉薄部からなる切り込み部を、ＮＣマシン（切削工作機械）で設けてなる。もしくは射出成型金型に前記切り込み部が得られる形状を予め作製し、前記金型に加熱した樹脂を射出し、冷却固化させた後、金型から取り外し、前記切り込み部を設けてなる。
【００３１】
前記切り込み部の位置は、前記筒状部材の外周面のいずれの位置でも良いが、前記ドアロック用カバーを分離して前記ドアロック用カバーを取り外す際、できるだけ前記ドアロック用カバーの分離屑をドアに残さない方がサムターンを操作する上で良く、前記ドア取付部材に近い方が好ましい。
【００３２】
前記切り込み部の形状は、例えば断面くさび型、四角型等、いずれの形状でも良いが、前記切り込み部に力を加えた際の分離しやすさを考慮すれば、断面くさび型が好ましい。  
【００３３】
前記筒状部材及び前記蓋部材の厚みと、前記切り込み部を成す前記筒状部材の肉薄部の厚みは、無負荷時に前記ドアロック用カバーの形状を保て、前記切り込み部に力を加えた際にドアロック用カバーを分離、取り外しできれば良く、適宜選択するのが良い。
【００３４】
前記ＩＣタグは、例えばガラスエポキシ樹脂やポリイミド樹脂からなる基板上に、エッチング処理及びメッキ処理を施し、銅、アルミ、銀等の導電体からなる回路配線を形成し、前記基板上にＩＣチップを設置し、前記ＩＣチップと前記回路配線を金ワイヤで接合し、前記ＩＣチップと前記金ワイヤ、及び前記金ワイヤで接合した前記回路配線の一部をエポキシ樹脂等でモールドしてなるＩＣチップ部に、例えばポリウレタン被覆銅線を巻き線してなるアンテナ部を半田接合または溶接してなる。
【００３５】
前記ＩＣタグは、例えばエポキシ接着剤を用い、前記切り込み部上に前記ＩＣチップ部が位置するように、前記筒状部材または前記蓋部材の内側に固定してなる。もしくは、金型内部に部品を保持した状態のまま射出成型し、射出成型品内部に部品を埋設する既知の射出成型技術を用い、前記切り込み部の肉薄部に前記ＩＣチップ部が位置するように配置し、射出成型してなる。
【００３６】
前記ＩＣタグを構成するアンテナ部は、例えばエポキシ接着剤を用い、前記筒状部材または前記蓋部材の内側いずれの位置に固定しても良いが、アンテナ部の変形による通信特性悪化を防ぐ為に平面部に固定するのが良く、例えば前記蓋部材に平板を用いて、前記アンテナ部を接着固定するのが好ましい。もしくは、金型内部に部品を保持した状態のまま射出成型し、射出成型品内部に部品を埋設する既知の射出成型技術を用い、前記蓋部材に前記アンテナ部が位置するように配置し、前記蓋部材を平板状に射出成型するのが好ましい。
【００３７】
前記ドアロック用カバーは、ドア面に設けられたサムターンを前記ドアロック用カバーの空間に収納し、前記ドアに前記ドア取付部材を、例えばエポキシ接着剤やネジを用いて固定してなる。もしくは、サムターンを有するドアノブを前記ドアロック用カバーの空間に収納し、前記ドアに前記ドア取付部材を、例えばエポキシ接着剤やネジを用いて固定してなる。
【実施例】
【００３８】
以下、本発明の実施例について図面を参照しながら説明する。
【００３９】
（実施例１）
図１は、本発明のドアロック用カバーを示す図で、ＩＣタグをドアロック用カバー内側に固定した実施例であり、図１（ａ）はドアロック用カバーの斜視図、図１（ｂ）はドアロック用カバーの断面図である。
【００４０】
本発明によるドアロック用カバーは、切り込み部６を設けた筒状部材２、蓋部材１、ドア取付部材３からなり、前記筒状部材２と蓋部材１が成す空間にＩＣチップ部５とアンテナ部４からなるＩＣタグを設置してなる。
【００４１】
筒状部材２は、内径１００ｍｍ、厚さ１ｍｍのＡＢＳ樹脂製透明パイプを長さ１００ｍｍに切断し、前記ＡＢＳ樹脂製パイプの端から３０ｍｍに位置する外周に、ＮＣマシン（切削工作機械）で幅０.３ｍｍ、且つ深さ０.５ｍｍの溝を連続して切削し、前記ＡＢＳ樹脂製パイプに幅が０.３ｍｍと局部的で、厚さが０.５ｍｍと薄く、連続した肉薄部からなる切り込み部６を設け、作製した。
【００４２】
蓋部材１は、厚さ１ｍｍのＡＢＳ樹脂製透明平板材を直径１２０ｍｍの円板に切り出し作製した。
【００４３】
ドア取付部材３は、厚さ１ｍｍのＡＢＳ樹脂製透明平板材を内径１２０ｍｍで外径１４０ｍｍのドーナツ状の円板を切り出し作製した。
【００４４】
次に、前記筒状部材２の前記切り込み部６に近い側の開口部の端面位置で、前記筒状部材２の外周面に前記ドア取付部材３をエポキシ接着剤で接着固定し、前記筒状部材２の切り込み部６に遠い側の開口部に前記蓋部材１をエポキシ接着剤で接着固定し、ＩＣタグを構成するＩＣチップ部５を、前記切り込み部６がある前記筒状部材２の内側にエポキシ接着剤で接着固定し、ＩＣタグを構成するアンテナ部４を、前記蓋部材１の前記筒状部材２の開口部を塞いだ面上にエポキシ接着剤で接着固定し、本発明のドアロック用カバーを得た。
【００４５】
（実施例２）
図２は、本発明のドアロック用カバーを示す図で、ＩＣタグを射出成型によってドアロック用カバー内部に固定した実施例であり、図２（ａ）はドアロック用カバーの斜視図、図２（ｂ）はドアロック用カバーの断面図である。
【００４６】
本発明によるドアロック用カバーは、切り込み部６を設けた筒状部材２、蓋部材１、ドア取付部材３からなり、前記切り込み部６を成す前記筒状部材２の肉薄部の内部にＩＣチップ部５を埋設し、前記蓋部材１内部にアンテナ部４を埋設してなる。
【００４７】
ドアロック用カバーは、射出成型金型に、蓋部材１、筒状部材２、切り込み部６、ドア取付部材３を成す形状を設け、前記射出成型金型内部の前記切り込み部６の位置にＩＣチップ部５が位置するように保持し、前記射出成型金型内部の前記蓋部材１の位置にアンテナ部４が位置するように保持し、シリンダー温度が２１０℃、金型温度が６０℃、射出圧力が７０ＭＰａの成型条件で、前記射出成型金型に透明ＡＢＳ樹脂を溶融し、射出成型して作製した。
【００４８】
（実施例３）
図３は、本発明のドアロック用カバーの使用形態を示す図で、ＩＣタグをドアロック用カバー内側に固定したドアロック用カバーの実施例であり、図３（ａ）はドア面に設けられたサムターンに取り付けた状態を示す図、図３（ｂ）はサムターンを有するドアノブに取り付けた状態を示す図である。
【００４９】
上記実施例１で作製した本発明のドアロック用カバーをドア面に設けられたサムターン７、またはサムターン７を有するドアノブ９に被せ、ドア取付部材３をドア８の面にエポキシ接着剤で接着固定した。
【００５０】
本発明のドアロック用カバーは、外部からサムターン７、ドアノブ９、ＩＣチップ部５を視認でき、無負荷時にはサムターン７を操作することを防ぎ、切り込み部６に力を加えることで前記ドアロック用カバーを分離し、前記ドア８から取り外し、サムターン７を操作することができた。また、前記ドアロック用カバーを分離した際、前記切り込み部６に位置するＩＣチップ部５が破壊された。
【００５１】
すなわち、通常時には前記サムターン７を操作不能にでき、非常時には容易に前記サムターン７を操作可能にでき、更に、前記ドアロック用カバーの外部から前記ＩＣチップ部５が視認でき、不正侵入を図ろうとする犯罪者に対し、前記ドアロック用カバーを安易に破壊できないという精神的な負荷を与え、不正行為に対する抑制効果が得られた。
【００５２】
（実施例４）
図４は、本発明のドアロック用カバーの使用形態を示す図で、ＩＣタグを射出成型によってドアロック用カバー内部に固定したドアロック用カバーの実施例であり、図４（ａ）はドア面に設けられたサムターンに取り付けた状態を示す図、図４（ｂ）はサムターンを有するドアノブに取り付けた状態を示す図である。
【００５３】
上記実施例２で作製した本発明のドアロック用カバーをドア面に設けられたサムターン７、またはサムターン７を有するドアノブ９に被せ、ドア取付部材３をドア８の面にエポキシ接着剤で接着固定した。
【００５４】
本発明のドアロック用カバーは、外部からサムターン７、ドアノブ９、ＩＣチップ部５を視認でき、無負荷時にはサムターン７を操作することを防ぎ、切り込み部６に力を加えることで前記ドアロック用カバーを分離し、前記ドア８から取り外し、サムターン７を操作することができた。また、前記ドアロック用カバーを分離した際、前記切り込み部６に位置するＩＣチップ部５が破壊された。
【００５５】
すなわち、通常時には前記サムターン７を操作不能にでき、非常時には容易に前記サムターン７を操作可能にでき、更に、前記ドアロック用カバーの外部から前記ＩＣチップ部５が視認でき、不正侵入を図ろうとする犯罪者に対し、前記ドアロック用カバーを安易に破壊できないという精神的な負荷を与え、不正行為に対する抑制効果が得られた。
【００５６】
以上、実施例を用いて、この発明の実施の形態を説明したが、この実施例に限られるものでなく、この発明の趣旨を逸脱しない範囲の設計変更があっても本発明に含まれる。すなわち、当事者であれば、当然なしえるであろう各種変形、修正もまた本発明に含まれることは勿論である。
【産業上の利用可能性】
【００５７】
本発明のドアロック用カバーを用いることにより、外部からの不正侵入及び内部から外部への不正退出を防止するセキュリティ対策を安価に実現することができる。
【図面の簡単な説明】
【００５８】
【図１】本発明のドアロック用カバーを示す図で、図１（ａ）はドアロック用カバーの斜視図、図１（ｂ）はドアロック用カバーの断面図。
【図２】本発明のドアロック用カバーを示す図で、図２（ａ）はドアロック用カバーの斜視図、図２（ｂ）はドアロック用カバーの断面図。
【図３】本発明のドアロック用カバーの使用形態を示す図で、図３（ａ）はドア面に設けられたサムターンに取り付けた状態を示す図、図３（ｂ）はサムターンを有するドアノブに取り付けた状態を示す図。
【図４】本発明のドアロック用カバーの使用形態を示す図で、図４（ａ）はドア面に設けられたサムターンに取り付けた状態を示す図、図４（ｂ）はサムターンを有するドアノブに取り付けた状態を示す図。
【符号の説明】
【００５９】
１    蓋部材
２    筒状部材
３    ドア取付部材
４    アンテナ部
５    ＩＣチップ部
６    切り込み部
７    サムターン
８    ドア
９    ドアノブ
【図１】
0004993369.tif 000002
【図２】
0004993369.tif 000003
【図３】
0004993369.tif 000004
【図４】
0004993369.tif 000005